(57)【要約】【課題】物品の取付対象物への取付作業時において剥離紙を取り外す手間を省き、取付作業後の屑をなくすことができる取付部材及び取付部材付き物品を提供する。【解決手段】取付部材１０を、剥離シート１２に第１接着剤層１４を介して剥離可能に接着された基材１８と、前記基材１８の内側面に設けられた第２接着剤層２２及び剥離剤層２４とから構成する。第２接着剤層２２は剥離剤層２４に剥離可能に接着している。取付部材１０は、剥離シート１２から第１接着剤層１４を剥離し、その接着面１４ａを物品の表面に接着させることにより物品に取り付けられる。物品を取付対象物に取り付ける際は、基材１８を広げて剥離剤層２４から第２接着剤層２２を剥離し、第２接着剤層２２の接着面２２ａを取付対象物に接着する。【選択図】図１
2008101036.tif 000002
【特許請求の範囲】
【請求項１】
a)折曲部において二つ折りにされたシート状の基材と、
b)前記基材の外側面のうち前記折曲部よりも一方側の面に設けられた第１接着面と、
c)前記基材の内側面に設けられた第２接着面と、
d)前記基材の内側面に設けられ前記第２接着面に対して剥離可能に貼着する剥離面と、
を備えることを特徴とする取付部材。
【請求項２】
前記第２接着面及び前記剥離面は、いずれも前記基材の内側面のうち前記折曲部よりも一方側及び他方側の面のそれぞれに設けられ、
前記基材の内側面のうちの一方側の第２接着面と対向する部位に他方側の剥離面が位置し、他方側の第２接着面と対向する部位に一方側の剥離面が位置することを特徴とする請求項１に記載の取付部材。
【請求項３】
前記第２接着面及び前記剥離面は、対向して位置するように前記基材の内側面のうち前記折曲部よりも一方側及び他方側の面に分かれて設けられていることを特徴とする請求項１に記載の取付部材。
【請求項４】
前記剥離面は、前記基材の内側面のうち前記第１接着面の反対側の面に設けられていることを特徴とする請求項３に記載の取付部材。
【請求項５】
前記第１接着面は剥離シートで覆われていることを特徴とする請求項１ないし４のいずれかに記載の取付部材。
【請求項６】
前記基材の外側面のうち前記折曲部よりも他方側の面は、メッセージ表示面として利用可能であることを特徴とする請求項１ないし５のいずれかに記載の取付部材。
【請求項７】
取付対象物に取付け可能な取付部材を有する取付部材付き物品において、
前記取付部材は、
a)折曲部において二つ折りにされたシート状の基材と、
b)前記基材の外側面のうち前記折曲部よりも一方側に設けられ前記物品に接着された第１接着面と、
c)前記基材の内側面に設けられ前記取付対象物に接着される第２接着面と、
d)前記基材の内側面に設けられ前記第２接着面に対して剥離可能に貼着する剥離面とを有し、
前記基材を広げて前記剥離面から前記第２接着面を剥離させた後、前記第２接着面を前記取付対象物に接着させることにより前記物品が前記取付対象物に取り付けられることを特徴とする取付部材付き物品。
【請求項８】
a)両面のうちの一方に第１接着面を有する第１取付シートと、
b)両面のうちの一方に第２接着面を有する第２取付シートと、
c)前記第１取付シートの他方の面及び前記第２取付シートの他方の面の少なくとも一方に設けられた第３接着面と、
d)前記第１取付シートの他方の面及び第２取付シートの他方の面の少なくとも一方に設けられ前記第３接着面に剥離可能に貼着する剥離面と、
e)前記第１接着面に剥離可能に貼着された第１剥離シートと
f)前記第２接着面に剥離可能に貼着された第２剥離シートとを有し、
前記第３接着面と前記剥離面とが対向するように前記第１及び第２取付シートが重ね合わされていることを特徴とする取付部材。
【請求項９】
前記第３接着面及び剥離面は、いずれも前記第１及び第２取付シートの他方の面のそれぞれに設けられ、
前記第１取付シートの他方の面の前記第３接着面と対向する部位に前記第２取付シートの剥離面が位置し、前記第１取付シートの他方の面の前記剥離面と対向する部位に前記第２取付シートの第３接着面が位置することを特徴とする請求項８に記載の取付部材。
【請求項１０】
前記第３接着面及び前記剥離面は、前記第１取付シートの他方の面と前記第２取付シートの他方の面とに分かれて設けられていることを特徴とする請求項８に記載の取付部材。
【請求項１１】
前記第１及び第２剥離シートの少なくとも一方には切り目が設けられていることを特徴とする請求項８ないし１０のいずれかに記載の取付部材。
【請求項１２】
前記第１及び第２取付シートは、大きさが若干異なることを特徴とする請求項８ないし１１のいずれかに記載の取付部材。
【請求項１３】
前記第１及び第２取付シートのうち小さい方の取付シートの他方の面に取り付けられた剥離シートには切り目が設けられていることを特徴とする請求項１２に記載の取付部材。
【請求項１４】
一部分を折り畳むことにより形成された折り畳み部を有する物品と、
前記折り畳み部の内部に設けられ、前記物品を取付対象物に取り付けるための取付部材とを備えた取付部材付き物品において、
前記取付部材は、
a)両面のうちの一方に第１接着面を有し、当該第１接着面において前記折り畳み部の内側面のうちの一方に接着された第１取付シートと、
b)両面のうちの一方に第２接着面を有し、当該第２接着面において前記折り畳み部の内側面のうちの他方に接着された第２取付シートと、
c)前記第１取付シートの他方の面及び前記第２取付シートの他方の面の少なくとも一方に設けられた第３接着面と、
d)前記第１取付シートの他方の面及び第２取付シートの他方の面の少なくとも一方に設けられ前記第３接着面に剥離可能に貼着された剥離面とを有し、
前記折り畳み部を広げて前記第１取付シートから前記第２取付シートを剥離させた後、前記第３接着面を前記取付対象物に接着させることにより、前記物品が前記取付対象物に取り付けられることを特徴とする取付部材付き物品。
【発明の詳細な説明】
【技術分野】
【０００１】
本発明は、物品を取付対象物に取り付けるための取付部材及び取付部材付き物品に関する。
【背景技術】
【０００２】
新規の商品を販売する際には、商品購入者を対象とするプレゼント応募はがきや景品といった販売促進用資材（以下、「販促資材」という）を商品に取り付けて店頭に並べることがよく行われる。このような販促資材は商品とは別に梱包されて販売店に持ち込まれ、販売店で商品に取り付けられる。
前記販促資材の商品への取付けは、例えば両面接着テープを用いて行われる。販促資材の提供者は、販売店での販促資材の取付作業の効率化を図るため、販促資材に予め両面接着テープを貼付して販売店に提供している。
【０００３】
両面接着テープは、接合させたい二物品に両接着面を接着させるだけで、物品同士を接合させることができる。このような取り扱いの容易性、接着力の信頼性等から、両面接着テープは物品同士の接合手段として広く用いられている(特許文献１及び２参照）。
【特許文献１】特開2002-129115号公報（図１）
【特許文献２】特開平9-137136号公報（図１）
【発明の開示】
【発明が解決しようとする課題】
【０００４】
ところが、上記販促資材は、商品に取り付ける際に両面接着テープの接着面から剥離紙を取り外す必要がある。このため、取付作業後に剥離紙が屑として残ってしまうという問題があった。
本発明が解決しようとする課題は、物品の取付対象物への取付作業時において剥離紙を取り外す手間を省き、取付作業後の屑をなくすことができる取付部材及び取付部材付き物品を提供することである。
【課題を解決するための手段】
【０００５】
上記課題を解決するために成された本発明に係る取付部材の第１の形態は、
a)折曲部において二つ折りにされたシート状の基材と、
b)前記基材の外側面のうち前記折曲部よりも一方側の面に設けられた第１接着面と、
c)前記基材の内側面のうち前記折曲部よりも一方側の面に設けられた第２接着面と、
d)前記基材の内側面のうち前記折曲部よりも他方側の面に設けられ前記第２接着面に対して剥離可能に貼着する剥離面と、  
を備えることを特徴とする。
【０００６】
また、取付部材の第２の形態は、
a)両面のうちの一方に第１接着面を有する第１取付シートと、
b)両面のうちの一方に第２接着面を有する第２取付シートと、
c)前記第１取付シートの他方の面及び前記第２取付シートの他方の面の少なくとも一方に設けられた第３接着面と、
d)前記第１取付シートの他方の面及び第２取付シートの他方の面の少なくとも一方に設けられ前記第３接着面に剥離可能に貼着する剥離面と、
e)前記第１接着面に剥離可能に貼着された第１剥離シートと
f)前記第２接着面に剥離可能に貼着された第２剥離シートとを有し、
前記第３接着面と前記剥離面とが対向するように前記第１及び第２取付シートが重ね合わされていることを特徴とする。
【発明の効果】
【０００７】
第１の形態の取付部材は、第１接着面を介して物品に取り付けられる。取付部材が取り付けられた物品は、取付部材の基材を広げて剥離面から第２接着面を剥離させた後、前記第２接着面を取付対象物に接着させることにより、取付対象物に取り付けられる。
【０００８】
一方、第２の形態の取付部材は、一部分を折り畳むことにより形成された折り畳み部を有する物品の前記折り畳み部に取付られる。具体的には、前記取付部材の第１接着面から第１剥離シートを取り外して前記第１接着面を前記折り畳み部の内側面のうちの一方に接着させると共に第２接着面から第２剥離シートを取り外して前記第２接着面を前記折り畳み部の他方の内側面に接着させる。これにより、取付部材が物品に取り付けられる。取付部材が取り付けられた物品は、折り畳み部を広げて第１取付シートから第２取付シートを剥離させた後、前記第３接着面を取付対象物に接着させることにより、当該取付対象物に取り付けられる。
【０００９】
第１及び第２の形態の取付部材は、いずれも予め物品に取り付けておくことにより、当該物品を取付対象物へ取り付ける際に取り外すべき剥離紙(剥離シート）を不要とすることができる。このため、取付作業後に屑が残ることはない。
【発明を実施するための最良の形態】
【００１０】
以下、本発明を販促資材を商品に取り付けるための取付部材に適用したいくつかの実施例について図面を参照して説明する。
図１ないし図４は本発明の第１の実施例を示すものである。図１に示すように、本実施例に係る取付部材１０は、剥離シート１２と、この剥離シート１２に第１接着剤層１４を介して剥離可能に貼着された接着シール１６とから構成されている。前記接着シール１６は適宜の大きさ及び形状に予め成形されており、１枚の剥離シート１２に１ないし複数枚が接着されている。本実施例では、前記接着シール１６は例えば縦２ｃｍ×横５ｃｍの長方形状に成形されている。
【００１１】
前記接着シール１６は、シート状の素材を折曲部２０においてほぼ半分に折り曲げて形成された基材１８と、この基材１８の外側面に設けられた前記第１接着剤層１４と、前記基材１８の内側面のうち折曲部２０の両側にそれぞれ設けられた第２接着剤層２２及び剥離剤層２４とから構成されている。本実施例では、基材の１８の内側面のうち第１接着剤層１４の反対側の面に剥離剤層２４が設けられ、別の面に第２接着剤層２２が設けられている。
【００１２】
尚、図１では、第２接着剤層２２と剥離剤層２４とが離間しているが、実際は、第２接着剤層２２が剥離剤層２４に剥離可能に接着した状態で基材１８は折り畳まれている。本実施例では、第２接着剤層２２の下面である接着面２２ａが第２接着面に相当し、剥離剤層２４の上面が剥離面２４ａに相当する。また、第１接着剤層１４の剥離シート１２との接着面１４ａが第１接着面に相当する。
【００１３】
前記剥離シート１２には、例えば上質紙の両面にポリエチレンをラミネート加工し、さらにアクリル系、或いはシリコーン系剥離剤を塗布したものが用いられている。
前記基材１８は、上質紙、和紙、合成紙、樹脂フィルム、不織布等、販促資材の重量や大きさ等に応じた適宜の材料を用いて形成されている。
前記剥離剤層２４は、基材１８にアクリル系剥離剤、シリコーン系剥離剤などを含む樹脂をコーティングすることにより形成されている。
第１及び第２接着剤層１４及び２２は、それぞれ前記基材１８を販促資材及び商品に貼付するための層であり、アクリル系接着剤、シリコーン系接着剤、天然ゴム系接着剤、合成ゴム系接着剤等を前記基材１８に塗布することにより形成されている。
【００１４】
尚、基材１８の外側面のうち第１接着剤層１４が設けられていない面（接着シールの上面）は、「プレゼント実施中」や「取扱注意」等のメッセージや商品名等を書き込んだり印刷したりすることができるメッセージ表示面２６として利用できるようになっている。
【００１５】
次に、図２ないし図４を参照して、上記構成の取付部材１０を用いて販促資材３０を商品３２に取り付ける方法について説明する。販促資材３０は本発明の「物品」に、商品３２は本発明の「取付対象物」に相当するものである。
まず、取付部材１０の剥離シート１２から接着シール１６を取り外し、基材１８の折曲部２０が上に位置するように第１接着剤層１４の接着面１４ａを販促資材３０の表面、例えば後側面の上部に貼付する。これにより図２に示すように、販促資材３０に接着シール１６が取り付けられる。
【００１６】
続いて、二つ折りにされた基材１８を広げて第２接着剤層２２を剥離剤層２４から剥離させる。そして、剥離剤層２４から剥離させたことにより露出した第２接着剤層２２の接着面２２ａを商品３２の適宜の部位に接着させる。これにより、販促資材３０が基材１８を介して商品３２に取り付けられる。
図３は商品３２の側面に、図４は商品３２の上面の縁部に、第２接着剤層２２の接着面２２ａを接着させたときの様子を示している。
【００１７】
このように、本実施例に係る取付部材１０は、剥離シート１２を取り外し、接着シール１６として販促資材３０に取り付けておけば、販促資材３０を商品３２に取り付ける際に取り外すべき剥離シールをなくすことができる。従って、取付作業後に屑が残ることがない。
また、販促資材３０の側面の上部に接着シール１６を取り付けておくと、接着面２２ａを商品３２に貼付したときに表示面２６が外部から視認できる状態となる。従って、取付部材１０をメッセージ表示手段として利用することができる。
【００１８】
図５及び図６は本発明の第２の実施例を示すものであり、第１の実施例と異なるところを説明する。即ち、本実施例では、取付部材の第２接着剤層２２及び剥離剤層２４のいずれもが基材１８の内側面の折曲部２０の両側に設けられている。具体的には、基材１８の内側面のうち第１接着剤層１４の反対側の面の図５における右半部には剥離剤層２４が、左半部には第２接着剤層２２が設けられている。一方、基材１８の内側面の別の面のうち右半部には第２接着剤層２２が、左半部には剥離剤層２４が設けられている。
【００１９】
上記構成により、基材１８の内側面のうち折曲部２０よりも一方側に設けられた第２接着剤層２２は折曲部２０よりも他方側の内側面に設けられた剥離剤層２４と対向し、折曲部２０よりも一方側に設けられた剥離剤層２４は他方側に設けられた第２接着剤層２２と対向する。
【００２０】
上記取付部材１０は、第１の実施例に示す取付部材１０と同様の手順で剥離シート１２から接着シール１６が取り外されて販促資材３０の表面に取り付けられる。販促資材３０に取り付けられた接着シール１６は、二つ折りにされた基材１８を広げることにより、第２接着剤層２２が剥離剤層２４から剥離する。そして、第２接着剤層２２の接着面２２ａを商品３２の適宜の部位に接着させることにより、販促資材３０が商品３２に取り付けられる。
【００２１】
このとき、基材１８の内側面のうち折曲部２０の両側に第２接着剤層２２を設けたため、メッセージ表示面２６及び販促資材３０の取付面の両方を商品３２に接着させることができる。従って、販促資材３０を商品に近接させておくことができる。
【００２２】
図７ないし図１０は本発明の第３の実施例を示している。図７に示すように、本実施例に係る取付部材４０は、第１剥離シート４２と、この上に貼付された接着シール４４とから構成されている。本実施例においても、接着シール４４は適宜の形状や大きさ、例えば縦１．５ｃｍ×横７ｃｍの長方形状に予め成形されており、１枚の剥離シート４２に複数枚の接着シール４４が貼付されている。
【００２３】
前記接着シール４４は、第１剥離シート４２に剥離可能に貼着された第１取付シート４６と、この第１取付シート４６の上に重ね合わされた第２取付シート４８とから構成されている。前記第１取付シート４６の下面には第１接着剤層５０が設けられており、この第１接着剤層５０を介して第１剥離シート４２に貼着されている。第２取付シート４８の上面には第２接着剤層５２が設けられており、この第２接着剤層５２の上面には第２剥離シート５４が剥離可能に貼着されている。第１取付シート４６の上面には第３接着剤層５６が設けられており、前記第２取付シート４８はこの第３接着剤層５６に剥離可能に貼着されている。
【００２４】
本実施例では、第１接着剤層５０の下面が第１接着面５０ａとして機能し、第２接着剤層５２の上面が第２接着面５２ａとして機能する。また、第２取付シート４８の下面が剥離面４８ａとして機能する。
【００２５】
詳しい説明は省略するが、上記した第１ないし第３の接着剤層５０，５２，５６は、第１の実施例の接着剤層１４，２２と同様の材料を用いて形成されている。第１及び第２剥離シート４２，５４は、上述した第１の実施例の剥離シート１２と同様の材料を用いて形成されている。また、第２取付シート４８には透明な樹脂フィルムが用いられ、第３接着剤層５６は、透明な接着剤を第２取付シート４８に塗布することにより形成されている。
【００２６】
次に、図８ないし図１０を参照して、上記構成の取付部材４０を用いて販促資材３０を商品３２に取り付ける方法について説明する。本実施例の取付部材４０は、例えばビニル袋に景品などを収容して成る販促資材３０を商品３２に取り付ける際に用いられる。
【００２７】
前記販促資材３０は、袋の一部を折り畳むことにより折り畳み部６０を形成することができる。前記折り畳み部６０では販促資材３０の一部分が折り重なった状態となっており、その内側に取付部材４０が取り付けられる。ここでは、販促資材３０の上部を折り畳み線（図８及び図１０に実線Ｌ１で示す）で折り畳むことにより折り畳み部６０を形成している。販促資材３０を折り畳み線Ｌ１で折り畳んだとき、販促資材３０の上端部は二点鎖線Ｌ２の辺りに位置する。従って、販促資材３０の上端部から二点鎖線Ｌ２までが折り畳み部６０となる。
【００２８】
まず、取付部材４０の第１剥離シート４２から接着シール４４を取り外し、第１接着面５０ａを販促資材３０の折り畳み部６０の内側面のうち折り畳み線Ｌ１よりも上方部に貼付する（図８参照）。そして、接着シール４４から第２剥離シート５４を取り除いた後、販促資材３０の折り畳み部６０を折り畳む。この結果、第２接着面５２ａが折り畳み部６０の内側面のうち折り畳み線Ｌ１よりも下方部に接着する。これにより、接着シール４４のうち第２剥離シート５４を除く部分が折り畳み部６０内に取り付けられる(図９参照）。
【００２９】
販促資材３０を商品３２に取り付けるときは、折り畳み部６０を広げて第２取付シート４８から第３接着面５６ａを剥離する。これにより、第３接着面５６ａが露出するため(図１０参照）、当該第３接着面５６ａを商品３２の適宜の部位に接着させることにより、販促資材３０を商品３２に取り付けることができる。このとき、第２取付シート４８及び第２接着剤層５２を透明にしたため、販促資材３０に取り付けられた第２取付シート４８が目立つことがない。
【００３０】
このように、本実施例に係る取付部材４０は、第１及び第２の剥離シート４２，５４を取り除いた上で販促資材３０に取り付けられるため、販促資材３０を商品３２に取り付ける際に取り外すべき剥離シートをなくすことができる。従って、剥離シートを取り外す手間を省き、取付作業後の屑をなくすことができる。
【００３１】
図１１及び図１２は本発明の第４の実施例を示している。この第４の実施例は次の点が第３の実施例を異なっている。即ち、第６の実施例では、第１取付シート４６の上面と第２取付シート４８の下面のそれぞれに、第３接着剤層５６及び剥離剤層６１を設けている。具体的には、第１取付シートの上面の図１１における右半部には接着剤層５６が、左半部には剥離剤層６１が設けられている。一方、第２取付シート４８の下面の右半部には剥離剤層６１が、左半部には接着剤層５６が設けられている。
【００３２】
第１取付シート４６の上面に第２取付シート４８が重ね合わされたとき、第１取付シート４６の接着剤層５６及び剥離剤層６１と、第２取付シート４８の剥離剤層６１及び接着剤層５６とがそれぞれ対向し、互いに剥離可能に貼着する。
【００３３】
上記取付部材４０は第３の実施例の取付部材４０と同様の手順で第１剥離シート４２から接着シール４４が取り外されて折り畳み部６０の内側面に取り付けられる。そして、折り畳み部６０を広げて第１取付シート４６から第２取付シート４８を剥離する。この結果、第３接着剤層５６の接着面５６ａが露出するため、前記接着面５６ａを商品３２に接着させることにより、販促資材３０が商品３２に取り付けられる。
【００３４】
このような構成によれば、第１及び第２の取付シート４６，４８の両方に接着剤層５６を設けたため、販促資材３０の折り畳み部６０の内側面のうち折り畳み線Ｌ１の両側に接着面５６ａを配置させることができる。このため、販促資材３０を２箇所で商品３２に取り付けることができる。
【００３５】
図１３は本発明の第５の実施例を示している。この第５の実施例では、次の点が第３の実施例の取付部材と異なっている。即ち、第２取付シート４８を第１取付シート４６よりも若干大きくしている。具体的には、第２取付シート４８，第２接着剤層５２，第２剥離シート５４が第１取付シート４６の周縁から約１ｍｍはみ出るように構成されている。第２取付シート４８，第２接着剤層５２，第２剥離シート５４はほぼ同じ大きさを有している。
【００３６】
また、第２剥離シート５４の例えば長手方向中心付近に切り目７１を入れていると共に、第１剥離シート４２のうち第１接着面５０ａの貼着部分に切り目７２を入れている。第１剥離シート４２に貼着された複数の取付部材４０に設けられた全ての切り目７２は連続するように構成されている。
【００３７】
上記構成においては、第２取付シート４８の方が第１取付シート４６よりも大きいため、第３接着面５６ａに対する第２取付シート４８の貼着部分が多少ずれても、第３接着面５６ａが第２取付シート４８からはみ出ることを防止できる。従って、折り畳み部６０内に接着シール４４を取り付けたときに第３接着面５６ａが折り畳み部６０の内面のうち第２取付シート４８が取り付けられている面に接着してしまうことを防止できる。また、第２取付シート４８から剥離させた第２接着面４８ａを、第２取付シート４８に再貼着し易い。
【００３８】
尚、第２取付シート４８等を第１取付シート４６よりも大きくしたため、第１剥離シート４２から接着シール４４を剥離させようとしたときに第２取付シート４８に手指が引っかかり易い。このため、第２取付シート４８等だけが剥離され、第１取付シート４６が第１剥離シート４２に残ってしまうおそれがある。これに対して、本実施例では、第１剥離シート４２に切り目７２を入れたため、この切り目７２を利用して第１剥離シート４２から接着シール４４を剥離しやすくなる。
更に、折り畳み部６０の内面に取り付けられた接着シール４４から第２剥離シート５４を剥離させる際も、切り目７１を利用して容易に剥離させることができる。
【００３９】
図１４は、本発明の第６の実施例を示している。この実施例は、前記取付部材４０の第１取付シート４６を接着剤層のみからなる所謂基材レスタイプの両面接着テープとしたものである。このような構成によれば、第２の実施例と同様の作用、効果の他、第１取付シート４６の厚み寸法を小さくすることができるという効果が得られる。
【００４０】
尚、本発明は上記した実施例に限定されるものではなく、例えば次のような変形が可能である。
取付部材１０、４０を、ロール状に巻かれたテープ状に構成し、適宜の大きさに切断して用いるタイプのものとすることができる。この場合は、基材１８及び第２剥離シート５４を第１接着剤層１４、５０の剥離シートとして兼用することができるため、剥離シート１２及び第１剥離シート４２を省略することができる。
【００４１】
物品(販促資材）の製造工程に取付部材を取り付ける工程を組み込み、取付部材付き物品として提供することも可能である。このように構成すると、取付部材から取り外されて屑となる剥離シートを完全になくすことができるため、省資源化を図ることができる。
【００４２】
接着シール１６の基材１８の内側面のうち第１接着剤層１４の反対側の面に第２接着剤層２２を設け、別の面に剥離剤層２４を設けても良い。
第５の実施例では、第２取付シート４８，第２接着剤層５２，第２剥離シート５４の全てを第１取付シート４６よりも大きくしたが、第２取付シート４８だけを第１取付シート４６よりも大きくしても良い。
【００４３】
第２の実施例における第２接着剤層２２及び剥離剤層２４，或いは、第４の実施例における第３接着剤層５６及び剥離剤層４８は、基材１８の内側面や第１及び第２の取付シート４６，４８の他方の面に縦縞状、横縞状、格子状等、適宜の配置で交互に配置することができる。要は、基材の内側面の一方或いは第１取付シートの他面に設けられた接着剤層及び剥離剤層と、基材の内側面の他方或いは第２取付シートの他面に設けられた剥離剤層及び接着剤層が対向して位置していればよい。
【図面の簡単な説明】
【００４４】
【図１】本発明の第１の実施例を示す取付部材の全体構成図
【図２】販促資材に接着シールを取り付けた状態を示す図
【図３】接着シールを用いて販促資材を商品に取り付けた様子の一例を示す図
【図４】接着シールを用いて販促資材を商品に取り付けた様子の他の例を示す図
【図５】本発明の第２の実施例を示す図１相当図
【図６】販促資材に接着シールを取り付けた状態を示す図
【図７】本発明の第３の実施例を示す図１相当図
【図８】販促資材が入った袋に形成された折り畳み部に接着シールを取り付ける途中の状態を示す図
【図９】販促資材が入った袋の折り畳み部に接着シールを取り付けられた状態を示す側面図
【図１０】販促資材が入った袋の折り畳み部を広げて第１取付シートから第２取付シートを剥離させた状態を示す図
【図１１】本発明の第４の実施例を示す図７相当図
【図１２】図１０相当図
【図１３】本発明の第５の実施例を示す図７相当図
【図１４】本発明の第６の実施例を示す図７相当図
【符号の説明】
【００４５】
１０，４０…取付部材
１２…剥離シート
１４ａ…第１接着面
１８…基材
２０…折曲部
２２ａ…第２接着面
２４ａ…剥離面
３０…販促資材(物品）
３２…商品(取付対象物）
４２…第１剥離シート
４６…第１取付シート
４８…第２取付シート
４８ａ…剥離面
５０ａ…第１接着面
５２ａ…第２接着面
５４…第２剥離シート
５６ａ…第３剥離面
６０…折り畳み部
７１，７２・・・切り目
【図１】
2008101036.tif 000003
【図２】
2008101036.tif 000004
【図３】
2008101036.tif 000005
【図４】
2008101036.tif 000006
【図５】
2008101036.tif 000007
【図６】
2008101036.tif 000008
【図７】
2008101036.tif 000009
【図８】
2008101036.tif 000010
【図９】
2008101036.tif 000011
【図１０】
2008101036.tif 000012
【図１１】
2008101036.tif 000013
【図１２】
2008101036.tif 000014
【図１３】
2008101036.tif 000015
【図１４】
2008101036.tif 000016